(57)【要約】【課題】保管や装着が簡単で、かさばらず、セットした髪形が型崩れせず、耐久性に優れた頭髪整形補助具を提供することができるようにする。【解決手段】両端部分で連結された大小２つの円弧もしくは台形（以下円弧状という）により、当該円弧状部分の中央部が頭髪を嵩あげするために離間させてなる本体部と、当該本体部の上面ならびに下面にそれぞれ本体部と一体に形成された頭髪保持部を備え、上面の頭髪保持部は複数の突片を円弧状部分の上面に対して垂直方向に頭髪保持用空間を空けた状態で突出形成させるとともに、下面の頭髪保持部は髪はさみ手段で形成した。【選択図】図１
0003152680.tif 000002
【実用新案登録請求の範囲】
【請求項１】
両端部分で連結された大小２つの円弧もしくは台形（以下円弧状という）により、当該円弧状部分の中央部が頭髪を嵩あげするために離間させてなる本体部と、当該本体部の上面ならびに下面にそれぞれ本体部と一体に形成された頭髪保持部を備え、上面の頭髪保持部は複数の突片を円弧状部分の上面に対して垂直方向に頭髪保持用空間を空けた状態で突出形成させるとともに、下面の頭髪保持部は髪はさみ手段で形成したことを特徴とする頭髪整形補助具。
【請求項２】
髪はさみ手段が、弾性変形可能な下向き円弧状の第一はさみ部材と一端が本体部側に搖動枢支され他端が本体部側に係脱可能な第２はさみ部材とからなる請求項１に記載の頭髪整形補助具。
【請求項３】
髪はさみ手段が、本体部の下面に櫛歯状の突起を垂下し、当該本体部の下方に直線もしくは上向き円弧状に形成したに髪押さえ部材の一方の端を本体部の一端に搖動可能に収支し、髪押さえ部材の他方の端と本体部の他端との間に弾性掛合用突起とこの弾性掛合用突起が係脱可能に掛合する掛合孔とからなる請求項１に記載の頭髪整形補助具。
【請求項４】
髪はさみ手段が、本体部の下面と略動形状の円弧状にした髪押さえ部材の一方の端を本体部の一端に搖動可能に収支し、髪押さえ部材の他方の端と本体部の他端との間を係脱可能にする面ファスナを設けて構成されていることを特徴する請求項１に記載の頭髪整形補助具。
【考案の詳細な説明】
【技術分野】
【０００１】
本考案は、所望する髪形を簡単に形成するための頭髪整形補助具に関するものである。
【背景技術】
【０００２】
頭髪を整えるときに使用するものとしては、特許文献１に示される一般に「カチューシャ」といわれる頭髪バンド形式のものや特許文献２に示される頭髪用のクリップが知られている。
【０００３】
上記カチューシャは、主として前髪が垂れてきたり、風等で髪が乱れたりするのを防止するために髪をおさえこむためのものであり、頭髪用のクリップは、束ねた髪を固定するものであることから、長い頭髪を嵩上げしてボリュームアップするときに使用することができない。
そこで、ボリュームアップする場合、一般的には自分の髪で逆毛を立てたり、添え毛、付け毛や足し毛といわれる「髢」が使用されたりしている。
【０００４】
ところが、逆毛を立てる場合、髪への負担、特に毛根部分への負担が大きく、髪を傷めたり、抜け毛の原因になったりする。
また、「髢」を使用する場合、「髢」は毛髪と同様、湿度や温度、時間経過等で徐々に変化しやすく、セットした形状を長く保つことが難しいという問題があった。
また、「髢」はかさばる上に保管等が難しい上に、一人で装着するのは至難の技であることから、若い女性に広く普及していないのが現状である。
【先行技術文献】
【特許文献】
【０００５】
【特許文献１】特開２０００−９３２２７号公報
【特許文献２】特開２００９−８２６９０号公報
【考案の概要】
【考案が解決しようとする課題】
【０００６】
そこで、本考案にかかる頭髪整形補助具は、上記問題点に鑑みて提案されたもので、保管や装着が簡単で、かさばらず、セットした髪形が型崩れせず、耐久性に優れた頭髪整形補助具を提供することができるようにすることを目的とするものである。
【課題を解決するための手段】
【０００７】
上記目的を達成するために、本考案にかかる頭髪整形補助具は、両端部分で連結された大小２つの円弧もしくは台形（以下円弧状という）により、当該円弧状部分の中央部が頭髪を嵩あげするために離間させてなる本体部と、当該本体部の上面ならびに下面にそれぞれ本体部と一体に形成された頭髪保持部を備え、上面の頭髪保持部は複数の突片を円弧状部分の上面に対して垂直方向に頭髪保持用空間を空けた状態で突出形成させるとともに、下面の頭髪保持部は髪はさみ手段で形成したことを最も主要な特徴とするものである。
【０００８】
本考案にかかる頭髪整形補助具では、髪はさみ手段が、弾性変形可能な下向き円弧状の第１はさみ部材と一端が本体部側に搖動枢支され他端が本体部側に係脱可能な第２はさみ部材で構成されていること、髪はさみ手段が、本体部の下面に櫛歯状の突起を垂下し、当該本体部の下方に直線もしくは上向き円弧状に形成したに髪押さえ部材の一方の端を本体部の一端に搖動可能に収支し、髪押さえ部材の他方の端と本体部の他端との間に弾性掛合用突起とこの弾性掛合用突起が係脱可能に掛合する掛合孔とからなること、髪はさみ手段が、本体部の下面と略動形状の円弧状にした髪押さえ部材の一方の端を本体部４一端に搖動可能に収支し、髪押さえ部材の他方の端と本体部４の他端との間を係脱可能にする面ファスナを設けて構成されていることも特徴とするものである。
【考案の効果】
【０００９】
本考案にかかる頭髪整形補助具は、両端部分で連結された大小２つの円弧もしくは台形により、当該円弧状部分の中央部が頭髪を嵩あげするために離間させてなる本体部と、当該本体部の上面ならびに下面にそれぞれ本体部と一体に形成された頭髪保持部を備え、上面の頭髪保持部は複数の突片を円弧状部分の上面に対して垂直方向に頭髪保持用空間を空けた状態で突出形成させるとともに、下面の頭髪保持部は髪はさみ手段で形成してある。
これにより、頭髪整形補助具が髪はさみ手段で頭部にしっかりと固定され、この固定された頭髪整形補助具の上面の頭髪保持部を覆う頭髪が頭髪保持部に保持されて保形されるので、嵩上げした所望する髪形が型崩れすることがない。
【００１０】
さらに、本考案にかかる頭髪整形補助具は、従来のクリップや頭髪バンドのように、一人で簡単に装着できる上、「髢」のように嵩張らずクリップや頭髪バンドと同様に保管することができる利点もある。
【００１１】
特に、髪はさみ手段を、弾性変形可能な下向き円弧状の第１はさみ部材と一端が本体部側に搖動枢支され他端が本体部側に係脱可能な第２はさみ部材で構成したものでは、髪はさみ手段の弾性により頭髪をしっかりと把持して頭髪整形保持具が確実に固定できる。
また、髪はさみ手段が、本体部の下面に櫛歯状の突起を垂下し、当該本体部の下方に直線もしくは上向き円弧状に形成したに髪押さえ部材の一方の端を本体部の一端に搖動可能に収支し、髪押さえ部材の他方の端と本体部の他端との間に弾性掛合用突起とこの弾性掛合用突起が係脱可能に掛合する掛合孔で構成したものでは、上記効果に加えて頭髪整形補助具を装着する操作が、従来のクリップと同様の操作であることから、簡単で違和感なく操作することができる。
【００１２】
加えて、髪はさみ手段を、本体部の下面と略動形状の円弧状にした髪押さえ部材の一方の端を本体部の一端に搖動可能に収支し、髪押さえ部材の他方の端と本体部の他端との間を係脱可能にする面ファスナを設けて構成したものでは、ワンタッチで頭髪整形補助具を着・脱する操作をおこなうことができる利点もある。
【図面の簡単な説明】
【００１３】
【図１】は本考案にかかる頭髪整形補助具の第一実施例を示す斜視図である。
【図２】は本考案にかかる頭髪整形補助具の使用手順を示す斜視図である。
【図３】は本考案にかかる頭髪整形補助具の使用手順を示す斜視図である。
【図４】は本考案にかかる頭髪整形補助具の使用手順を示す斜視図である。
【図５】は本考案にかかる頭髪整形補助具の第二実施例を示す正面図である。
【図６】は本考案にかかる頭髪整形補助具の変形例を示す正面図である。
【考案を実施するための形態】
【００１４】
以下、本考案の頭髪整形補助具にかかる最も好ましい実施の形態を図面に基づいて説明する。
【実施例１】
【００１５】
図１は本考案にかかる頭髪整形補助具の斜視図であって、図中符号１は頭髪整形補助具を全体的に示す。
この頭髪整形補助具１は、両端部分で連結された曲率の大きな円弧２の上に曲率の小さな円弧３の大小２つの円弧により半月状に形成された本体部４と、この本体部４の上面５及び下面６の夫々に本体部４と一体に形成された頭髪保持部とを備えてなる。
尚、大小２つの円弧２・３により形成される半月状の本体部４は、必ずしも円弧で形成されたものに限られず、図示は省略したが大小２つの台形あるいは本体部４の上部もしくは下部のいずれかが台形であってもよく、以後、これらを含めて本体部４の形状を円弧状という。
【００１６】
上記本体部４は、合成樹脂（ABS樹脂）により後述する頭髪保持部７・８を一体に成形してある。
この本体部４は、曲率の大きな円弧２の上に曲率の小さな円弧３をその両端部で連結することにより、中央部分が離間し、その空間が左右の両端側で徐々に狭くなるように形成されており、空間の中間部分には縦リブ９で支えられた１本の横リブ１０が形成されている。
【００１７】
そして、本体部４の円弧状の上面に形成される頭髪保持部７は、図１に示すように先端が２重の鏃形をした板状突起１１を等間隔に複数突出させ、この板状突起１１・１１間に頭髪保持空間１２が形成されている。
一方、本体部４の円弧状の下面６に形成される頭髪保持部８は、頭髪を上下から挟みこんで頭髪整形補助具１を固定するための髪はさみ手段１３で形成されている。
この髪はさみ手段１３は、弾性変形可能な下向き円弧状の第１はさみ部材１４と一端が本体部４側に搖動枢支され他端が本体部４側に係脱可能な第２はさみ部材１５とからなる。
【００１８】
上記第１はさみ部材１４および第２はさみ部材１５はそれぞれ弾性復帰可能な金属製板材をプレス成型により折り曲げて形成されたもので、金属製の基板１６を本体部４の下面６に固定し、この基板１６の一端に第２はさみ部材１５の一端を搖動可能に枢支するとともに、基板１６の他端に第２はさみ部材１５の他端を係脱可能にする係脱手段１７を設け、前記枢支部１８と係脱手段１７との間の基板１６に下向き円弧状の第１はさみ部材１４を弾性変形可能に設けて構成されている。
上記係脱手段１７の詳細な図示は省略したが、第２はさみ部材１５の端部に掛合孔１９を設け、この掛合孔１９に掛合する横向きのフック２０を、側方に設けられた押圧片２１を操作することにより、前記フック２０が掛合孔１９から離脱するように構成された一般的な頭髪用クリップに構造になっている。
【００１９】
上記のように構成された頭髪整形補助具１を用いて頭髪２２をボリュームアップするための使用手順を次に説明する。
ボリュームアップする部分の頭髪２２の一部（例えば半分）を掴みあげ、残っている頭髪２２の中に第２はさみ部材１５を差し込み、第２はさみ部材１５の端部を係脱手段１７で基板１６に固定すると、図２に示すように、頭髪整形補助具１の下面６が残されている下部の頭髪２２に固定される。
このとき、第１はさみ部材１４が弾性変形し、閉じられる第２はさみ部材１５との間に頭髪２２をくわえ込むので、頭髪整形補助具１は頭部にしっかりと固定される。
頭髪整形補助具１が下部の頭髪２２にしっかりと固定されると、これまで掴みあげていた髪２２を頭髪整形補助具１の上面部分を覆うように降ろし、頭髪整形補助具１の上面５に形成された頭髪保持空間１２に頭髪２２の一部を挿入する。
【００２０】
斯くして、頭髪２２内に装着された頭髪整形補助具１はその上下の頭髪保持部７・８に挿入された頭髪２２によりずれ動くことなくしっかりと固定される。
これにより、頭髪整形補助具１で整えられた髪形は、湿度や雨・風、温度等によっても型崩れすることがなく、その髪形を長く維持することができる。
以上の説明で明らかなように、本考案の頭髪整形補助具１による頭髪２２の整形は、頭髪整形補助具１を従前のクリップや櫛と同様に使用できるので、一人でも手早く、簡単に行える。
【実施例２】
【００２１】
図５に示すものは本考案にかかる頭髪整形補助具１の別の実施例を示す正面図であって、
本例の頭髪整形補助具１は、本体部４の下面に櫛歯状の突起２３を垂下するとともに、本体部４の下面６に後述する髪はさみ部材２４の一端を回動可能に枢支する枢支部２５を形成し、他端に髪はさみ部材２４の他端を着脱可能にするフック２６を下向きに突出形成してなる。
そして、髪はさみ部材２４は、弾性変形可能な合成樹脂でゆるやかな円弧状の板状に形成され、一端に前記枢支部２５に回動可能に枢支される回動部２７が形成設けられ、他端に前記フック２６が掛合する掛合孔２８が穿設されて形成してありその他の構成は前記実施例１と同様である。尚、図中符号２９は枢支部に設けられたスプリングである。
【００２２】
上記のように構成された本例の頭髪整形補助具１は、上記実施例１と略同様の手順で装着される。
すなわち、ボリュームアップする部分の頭髪２２の一部（例えば半分）を掴みあげ、残っている頭髪２２の中に髪はさみ部材２４を差し込んだ後、本体部４を押さえてフック２６を掛合孔２８に掛合せると、図２に示すように、頭髪整形補助具１の下面が前記残されている下部の頭髪２２に固定される。
然る後、これまで掴みあげていた髪２２を頭髪整形補助具１の上面５部分を覆うように降ろし、上面５に形成された頭髪整形補助具１の頭髪保持空間１２に頭髪２２の一部を挿入すると、頭髪整形補助具１の装着が完了する。
【００２３】
尚、図６に示すものは上記実施例２における頭髪整形補助具１のはさみ手段１３の変形例を示すもので、本例における髪はさみ手１３段は、本体部４の下面６と略同形状の円弧状にした髪はさみ部材２４の一方の端を本体部４の一端に搖動可能に収支し、髪はさみ部材２４の他方の端と本体部４の他端との間を係脱可能にする面ファスナ３０を設けて構成したものである。
この場合、フック３１とループ３２で形成される面ファスナ３０は、髪はさみ部材２４が頭髪２２内に挿入されることから図示のように髪押さえ部材２４の上面（本体側の面）にはループ３２を形成することが望ましい。
【００２４】
尚、上記各実施例で説明したようにして頭髪２２の中に本考案にかかる頭髪整形補助具１により髪形を整形した後、図示は省略したが、左右の側方の頭髪２２を寄せて頭髪整形補助具１の後方部分（後頭部分）でまとめてバンドやクリップで固定すると、髪形の保持性能をいっそう向上させることができる。
【００２５】
また、上記実施の形態では、頭髪整形補助具１の本体部４をABS樹脂で成型するようにしてあるが、こうした合成樹脂に限られることはないが、スプレーを使用することがあることを考慮すると、耐有機溶剤性のある合成樹脂で成型することが望ましい。
加えて、上記各実施の形態では、本体部４の円弧状の上面に形成される頭髪保持部７を、その先端が２重の鏃形をした板状突起にしてあるが、これを櫛歯形状にすることも可能である。
【符号の説明】
【００２６】
１・・・頭髪整形補助具
２・３・・・円弧
４・・・本体部
７・８・・・頭髪保持部
１２・・・頭髪保持空間
１３・・・髪はさみ手段
２２・・・頭髪
３０・・・面ファスナ
【図１】
0003152680.tif 000003
【図２】
0003152680.tif 000004
【図３】
0003152680.tif 000005
【図４】
0003152680.tif 000006
【図５】
0003152680.tif 000007
【図６】
0003152680.tif 000008